(57)【要約】【課題】従来は、店舗間、会社間で店内に配信される音声広告を交換することができなかった。【解決手段】広告管理サーバーは、音声のみの広告を管理する広告管理部と、広告が配信される店舗のランクを設定するランク設定部と、店舗が保有するポイント、及び、店舗に設定されたランク毎のポイントを管理するポイント管理部と、広告を配信するために必要とされるポイントを第１店舗及び第２店舗の間で交換することで、指定されたスケジュールで第１店舗の広告を第２店舗に配信し、第２店舗の広告を第１店舗で配信するように管理する配信管理部と、を備える。【選択図】図１
2018156514.tif 000002
【特許請求の範囲】
【請求項１】
音声のみの広告を管理する広告管理部と、
前記広告が配信される店舗のランクを設定するランク設定部と、
前記店舗が保有するポイント、及び、前記店舗に設定された前記ランク毎の前記ポイントを管理するポイント管理部と、
前記広告を配信するために必要とされる前記ポイントを第１店舗及び第２店舗の間で交換することで、指定されたスケジュールで前記第１店舗の前記広告を前記第２店舗に配信し、前記第２店舗の広告を前記第１店舗で配信するように管理する配信管理部と、を備える
広告管理サーバー。
【請求項２】
前記配信管理部は、前記第１店舗に割当てられた広告枠の価値と、前記第２店舗に割当てられた広告枠の価値とが同じである場合に、前記第１店舗により出稿された前記広告と、前記第２店舗により出稿された前記広告とを交換する
請求項１に記載の広告管理サーバー。
【請求項３】
前記配信管理部は、前記第１店舗に割当てられた広告枠の価値と、前記第２店舗に割当てられた広告枠の価値とが異なる場合に、前記価値を同じとする前記ポイントを前記第１店舗又は前記第２店舗が保有したことにより、前記第１店舗により出稿された前記広告と、前記第２店舗により出稿された前記広告とを交換する
請求項１又は２に記載の広告管理サーバー。
【請求項４】
前記ポイント管理部は、前記第１店舗に割当てられた広告枠を前記第２店舗に提供した場合に、前記第１店舗に割当てられた広告枠の価値に相当するポイントを前記第２店舗から前記第１店舗に移動させる
請求項１〜３のいずれか一項に記載の広告管理サーバー。
【請求項５】
前記広告枠の価値は、前記ランク毎に決定され、
前記ランクは、前記店舗毎に、所定期間における来店者数、営業延べ時間、及び一人当たりの平均滞在時間により設定される
請求項１〜４のいずれか一項に記載の広告管理サーバー。
【請求項６】
さらに、撮像部により撮像された前記店内の画像を含む画像ファイルを前記店舗から取得し、前記画像ファイルを解析して時間毎の来店者数を計測する来店者数計測部と、
前記画像ファイルを解析して前記店内の音量を計測する音量計測部と、を備え、
前記ランク設定部は、前記来店者数及び前記音量に基づいて前記店舗に前記ランクを設定する
請求項１〜５のいずれか一項に記載の広告管理サーバー。
【請求項７】
さらに、前記広告を審査する広告審査部を備え、
前記配信管理部は、前記広告審査部により審査され、承認された前記広告を配信する
請求項１〜６のいずれか一項に記載の広告管理サーバー。
【請求項８】
音声のみの広告を出稿する広告主に関する情報、及び前記広告を前記広告主毎に管理する管理データベースと、前記広告の配信を管理する広告管理サーバーと、を備え、
前記広告管理サーバーは、
前記広告を管理する広告管理部と、
前記広告が配信される店舗のランクを設定するランク設定部と、
前記店舗が保有するポイント、及び、前記店舗に設定された前記ランク毎の前記ポイントを管理するポイント管理部と、
前記広告を配信するために必要とされる前記ポイントを第１店舗及び第２店舗の間で交換することで、指定されたスケジュールで前記第１店舗の前記広告を前記第２店舗に配信し、前記第２店舗の広告を前記第１店舗で配信するように管理する配信管理部と、を備え、
前記管理データベースを参照して、前記管理データベースから前記広告主に関する情報、及び前記広告を取得する
広告配信システム。
【発明の詳細な説明】
【技術分野】
【０００１】
本発明は、例えば、音声のみの広告を配信するための広告管理サーバー及び広告配信システムに関する。
【背景技術】
【０００２】
従来、広告伝送媒体としてテレビ放送が主に用いられていた。しかし、近年は、インターネットを通じて企業が自社サイトにユーザーを誘導し、直接ユーザーに広告を提供するようになっている。また、ユーザーにとって、リアルタイムでテレビ放送を視聴することは少なくなっている。例えば、インターネットを通じてゲームを行ったり、ビデオサイトに登録されたビデオを視聴するようになっている。
【０００３】
また、ユーザーは、テレビ番組をビデオ録画することにより、テレビ番組が放送された時間帯とは異なる時間帯にテレビ番組を視聴することが多い。この場合、テレビ番組中に挿入されるテレビ広告は早送り等で飛ばされやすい。このようにテレビ放送のプッシュメディアとしての役割が年々低下していることから、企業は、テレビ広告を通じて視聴者に商品、サービスの魅力を訴求することが困難となりつつあった。またテレビやラジオはその媒体に触れる際、能動的に電源をつける必要があり厳密なプッシュメディアの役割が弱くなってきた。
【０００４】
テレビ広告に変わるプッシュメディアとして、例えば、屋外看板や交通広告がある。しかし、屋外広告や交通広告は、その特性から広告の画像や映像だけを瞬間的に一般客の視覚から訴求できるに過ぎなかった 。
【０００５】
特許文献１には、多数の媒体社を組織化し、多数の媒体社間で広告宣伝枠の交換を行うことができるシステムが開示されている。
【先行技術文献】
【特許文献】
【０００６】
【特許文献１】特開２００１−３５７２８４号公報
【発明の概要】
【発明が解決しようとする課題】
【０００７】
特許文献１に開示されたシステムは、新たな伝送媒体を設けなければ、有効な広告を配信することができなかった。そして、伝送媒体を構築するためには多額の費用がかかっていた。また、従来は、店内で放送されるだけの音声広告に適切な価値を見いだすことができないため、企業間で音声広告に用いる広告枠を売買するような音声広告の流通市場は存在していなかった。
【０００８】
本発明はこのような状況に鑑みて成されたものであり、簡易な構成としながら、新たな方法で広告を配信することを目的とする。
【課題を解決するための手段】
【０００９】
本発明に係る広告管理サーバーは、音声のみの広告を管理する広告管理部と、広告が配信される店舗のランクを設定するランク設定部と、店舗が保有するポイント、及び、店舗に設定されたランク毎のポイントを管理するポイント管理部と、広告を配信するために必要とされるポイントを第１店舗及び第２店舗の間で交換することで、指定されたスケジュールで第１店舗の広告を第２店舗に配信し、第２店舗の広告を第１店舗で配信するように管理する配信管理部と、を備える。
また、広告配信システムは、上記の広告管理サーバーに加えて、音声のみの広告を出稿する広告主に関する情報、及び広告を広告主毎に管理する管理データベースを備える。
【発明の効果】
【００１０】
本発明によれば、第１店舗及び第２店舗の間でポイントを交換することで、指定されたスケジュールで各店舗が他の店舗の広告を配信することができる。このようにポイントを交換するシステムを設けたことにより、音声のみの広告の流動性を高めることができる。また、本発明に係る広告配信システムは、例えば、店舗に来店した客に対して聴覚から広告を訴求できる上、受動的に広告を伝送できる仕組みとなる。
上記した以外の課題、構成及び効果は、以下の実施の形態の説明により明らかにされる。
【図面の簡単な説明】
【００１１】
【図１】本発明の一実施の形態に係る広告配信システムの全体構成例を示す説明図である。
【図２】本発明の一実施の形態に係る価値基準値に応じた店舗ランクと、１つの広告枠あたりの単価の例を示す一覧表である。
【図３】本発明の一実施の形態に係る広告配信システムの内部構成例を示すブロック図である。
【図４】本発明の一実施の形態に係る広告配信システムの各装置を構成する計算機のハードウェア構成図である。
【図５】本発明の一実施の形態に係る管理データベースに格納される各テーブルの構成例を示す説明図である。
【図６】本発明の一実施の形態に係る広告主が配信サイトにログインしたときの処理例を示すフローチャートである。
【図７】本発明の一実施の形態に係る配信管理者が配信サイトにログインしたときの処理例を示すフローチャートである。
【図８】本発明の一実施の形態に係るログイン画面の表示例を示す説明図である。
【図９】本発明の一実施の形態に係る広告主画面の表示例を示す説明図である。
【図１０】本発明の一実施の形態に係る広告配信画面（地域選択）の表示例を示す説明図である。
【図１１】本発明の一実施の形態に係る広告配信画面（地域選択）の表示例を示す説明図である。
【図１２】本発明の一実施の形態に係る広告入稿画面の表示例を示す説明図である。
【図１３】本発明の一実施の形態に係る広告配信画面（広告主選択）の表示例を示す説明図である。
【図１４】本発明の一実施の形態に係る広告配信画面（広告主選択）の表示例を示す説明図である。
【図１５】本発明の一実施の形態に係る配信先検索画面の表示例を示す説明図である。
【図１６】本発明の一実施の形態に係る検索結果画面の表示例を示す説明図である。
【図１７】本発明の一実施の形態に係る管理者画面の表示例を示す説明図である。
【図１８】本発明の一実施の形態に係る企業情報管理画面の表示例を示す説明図である。
【図１９】本発明の一実施の形態に係る店舗編集画面の表示例を示す説明図である。
【図２０】本発明の一実施の形態に係る店舗情報登録画面の表示例を示す説明図である。
【図２１】本発明の一実施の形態に係る広告審査・承認画面の表示例を示す説明図である。
【発明を実施するための形態】
【００１２】
以下、本発明を実施するための形態例について、添付図面を参照して説明する。本明細書及び図面において、実質的に同一の機能又は構成を有する構成要素については、同一の符号を付することにより重複する説明を省略する。
【００１３】
［一実施の形態］
図１は、広告配信システム１０の全体構成例を示す説明図である。
図１の上に示す広告配信システム１０は、インターネット等のネットワークＮによって接続された広告主端末１と、管理者端末２と、広告管理サーバー３と、管理データベース４とを備える。
【００１４】
広告主端末１は、広告主によって使用される。広告主は、店舗毎に広告主端末１を使用して、配信を望む音声広告（ＣＭ（Commercial Message）、以下「広告」と略記する）を配信サイトにアップロードする。店舗には、飲食店、美容院、コンビニエンスストア等の様々な業態が含まれており、店内に広告を配信することが可能である。このため、店舗の来店者は、意識することなく聴くことができる。店内放送には、自社の広告だけではなく、他社の広告も流れる。
【００１５】
ここで、広告配信システム１０を利用する広告主は、業種、会社、店舗毎に異なるものとする。そして、ある会社が店舗Ａ，Ｂを保有し、他の会社が店舗Ｘ，Ｚを保有しているものとする。店舗毎に広告は異なるが、同じ会社が保有する店舗であれば、同じ広告が配信されてもよい。以下の説明では、店舗Ａを第１店舗の一例とし、店舗Ｘを第２店舗の一例として扱う。
【００１６】
管理者端末２は、広告配信システム１０を管理する配信管理者によって使用される。配信管理者は、管理者端末２を用いて、広告主端末１からアップロードされた広告の審査を行ったり、広告主の情報（企業情報）を登録したりする。
【００１７】
広告管理サーバー３は、広告主端末１によってアップロードされた広告を管理する。例えば、特定の店舗に対して、１時間に２回、広告や番組など用意した音声メディアを自動的に再生することで広告を来店者に届けるよう管理している。広告管理サーバー３は、広告配信システム１０を利用する店舗間で広告枠を交換することが可能である。例えば、ある店舗の広告主が他の業態に広告を出したい場合、自社店舗の広告枠を他社に提供することで、他社の広告枠を利用できる。
【００１８】
管理データベース４は、音声のみの広告を出稿する広告主に関する情報、及び広告を広告主毎に管理する。広告管理サーバー３は、管理データベース４を参照して、必要な情報を適宜取得することができる。
【００１９】
＜広告枠を交換する仕組み＞
ここで、広告枠を交換する仕組みについて説明する。
図１の下に示すように、ある広告主がコンビニエンスストアＡの店舗を持ち、他の広告主が飲食店Ｂの店舗を持つとする。コンビニエンスストアＡ及び飲食店Ｂでは、それぞれ１時間に２回、広告や番組等の広告を再生し、来店者に広告を届けることが可能な広告枠を持っているとする。ここで、広告配信システム１０は、コンビニエンスストアＡと飲食店Ｂとで広告枠を交換することが可能である。これにより、コンビニエンスストアＡにて、他業種である飲食店Ｂの広告を配信することが可能となり、飲食店Ｂにて、コンビニエンスストアＡの広告を配信することが可能となる。
【００２０】
広告主がある広告枠にて広告を配信する際、各店舗が保有するポイントが一定数だけ消費される。ポイントは、配信管理者により管理されるものであり、広告主は、配信管理者からポイントを購入して増やすことができる。ポイント数は、店舗の価値、広告枠の価値に応じて変わる。このため、ポイント数に基づいて、店舗の価値、広告枠の価値を可視化することが可能である。また、広告主は、広告主端末１に表示される配信サイトを通じてポイントの購入、広告の入稿、ポイントの交換等を行うことが可能である。このため、広告配信システム１０を利用することにより、ポイントを売買し、広告枠を交換するための新たな市場を創出することができる。
【００２１】
ところで、店舗毎に広告の価値は異なる。このため、広告の価値基準は、例えば、以下の算出指標（ａ）〜（ｃ）を用いて店舗毎に算出される 。
（ａ）月間来店者数
（ｂ）月間営業延べ時間
（ｃ）一人あたりの平均滞在時間
また、店内放送がない状態の店内の音量と、店内放送がある状態の店内の音量とで、音量のデシベル比が高いほど、来店者は店内放送、すなわち広告を聞き取りやすいと考えられる。このため、デシベル比により、店舗ランクが、Ａランク、Ｂランク、Ｃランクに分類される。そして、店舗ランク毎に、積算値が求められる。積算値として、例えば、店舗ランクがＢランクであれば標準とした１．０倍、Ａランクでは１．１倍、Ｃランクでは０．９倍となる。
【００２２】
そして、コンビニエンスストアＡの店舗Ａの上記算出指標は以下に示す（ａ）〜（ｄ）の通りであるとする。すると、価値基準値は、下記式（１）により算出される。
（ａ）月間来店者数  ２０００人
（ｂ）月間営業延べ  ３００時間
（ｃ）平均滞在時間  ５分
（ｄ）Ｃランクの積算値
【００２３】
店舗毎の価値基準値＝月間来店者数÷月間営業延べ時間×一人あたりの平均滞在時間×ランク毎の積算値  …（１）
【００２４】
すなわち、式（１）より、店舗毎の価値基準値は、２０００÷３００×５×０．９＝３０となる。このため、コンビニエンスストアＡの店舗Ａの価値基準値が“３０”であることが判明する。そして、価値基準値に応じて、店舗のランクが確定する。なお、価値基準の算出に際して、所定期間の一例として月間を用いたが、日間、週間、年間等を所定期間として用いてもよい。
【００２５】
図２は、価値基準値に応じた店舗ランクと、１つの広告枠あたりの単価の例を示す一覧表である。
店舗ランクとは、広告が行われる店舗の価値を示す指標であり、店舗ランクが高いほど、店舗の来店者に広告が有効に届くと考えられる。図２の上に示すように店舗ランクの高い順に、例えば、プラチナ、ゴールド、シルバー、ブロンズが設定される。そして、店舗ランクの高い順に、広告を配信するために必要なポイント数が多くなる。例えば、店舗ランクがプラチナであれば、７５ポイント以上必要であり、店舗ランクがゴールドであれば、５０〜７４ポイント必要であり、店舗ランクがシルバーであれば、２５〜４９ポイント必要であり、店舗ランクがブロンズであれば、０〜２４ポイント必要である。
【００２６】
また、図２の下に示すように、店舗ランクに応じて、１つの広告枠あたりの単価が変わる。例えば、店舗ランクがプラチナであれば、１３ポイント必要であるのに対し、店舗ランクがブロンズであれば、１０ポイント必要である。つまり、店舗ランクが高いほど、１つの広告枠あたりの単価も高くなる。上述した店舗Ａの価値基準値は、“３０”であるため、店舗Ａの店舗ランクはシルバーとなる。このため、店舗Ａの１つの広告枠あたりの単価は、１１ポイントとなる。そして、店舗Ａが保有している消費可能枠のポイント数が算出される。このポイント数が基礎ポイントとなる。基礎ポイントの算出は次式（２）により行われる。
【００２７】
基礎ポイント＝月間営業延べ時間×１時間あたりの広告枠数×１つの広告枠あたりの単価  …（２）
【００２８】
式（２）より、基礎ポイントは、３００×２×１１＝６，６００として算出される。このため、６，６００ポイントが、店舗Ａにおける月あたりのポイントの消費可能枠となり、広告主は事前に配信管理者から６，６００ポイントを購入することができる。そして、広告主は、消費可能枠内のポイントを、自店舗と他の店舗間で交換することで、自社の広告を他社の店舗で配信することが可能となる。また、他社の店舗での広告回数を増やす場合には、さらにポイントを追加して購入することもできる。
【００２９】
例えば、店舗Ａの広告主が、以下のランクが設定されている他社の他店舗に、自社の広告を７日間にわたって、全時間帯で配信することを希望した場合を想定する。
（ａ）月間営業延べ  １５０時間
（ｂ）プラチナランク
（ｃ）広告単価  １３ポイント
この場合の基礎ポイントは、１５０×７日間×１３＝１３，６５０として算出される。ここで、店舗Ａは、６，６００ポイントしか購入していないため、他社の他店舗に広告を配信するためには７，０５０ポイント不足する。そこで、店舗Ａの広告主は、配信管理者から７，０５０ポイントを購入する必要がある。
【００３０】
図３は、広告配信システム１０の内部構成例を示すブロック図である。
広告主端末１は、入力部１１、表示部１２、通信部１３、制御部１４、撮像部１５、集音部１６、放音部１７を備える。
【００３１】
入力部１１は、例えば、キーボード、マウス等であり、広告主端末１を使用する広告主によって必要な情報が入力される。
表示部１２は、例えば、液晶ディスプレイ装置であり、広告主が表示可能な配信サイト等を表示する。
通信部１３は、広告主端末１がネットワークＮに接続するための通信インターフェイスである。通信部１３は、制御部１４から指示された音声ファイル又は画像ファイルを広告管理サーバー３にアップロードしたり、広告管理サーバー３からダウンロードした広告ファイルを制御部１４に渡したりする。
【００３２】
制御部１４は、広告主端末１内の各部の動作を制御する。制御部１４は、入力受付部１４ａ、表示制御部１４ｂ、広告再生部１４ｃを備える。
入力受付部１４ａは、入力部１１によって入力されたデータを受け付ける。入力部１１により入力されるデータとして、例えば、店舗に配信を希望する広告の音声ファイルの選択指示、広告の配信スケジュール、店舗情報等がある。
表示制御部１４ｂは、広告管理サーバー３からダウンロードされる配信サイトを表示部１２に表示する制御を行う。広告主は、配信サイトを通じて広告又は店舗等の情報を確認することが可能である。
広告再生部１４ｃは、広告管理サーバー３から配信された広告ファイルを再生する。再生された広告ファイルの音声は、放音部１７にて放音される。このため、店内に広告が流れる。
【００３３】
撮像部１５は、例えば、カメラであって、来客者を撮像して画像ファイルを生成する。
集音部１６は、例えば、マイクロフォンであって、店内の音を集音する。撮像部１５によって撮像された客の様子、集音部１６によって集音された店内の音は、店舗における広告の価値を算出するために利用される。集音部１６により集音された音の音声データは、撮像部１５が生成した画像ファイルに取り込まれている。
放音部１７は、例えば、スピーカーであって、店内に広告ファイルに基づく広告を放音する。
【００３４】
管理者端末２は、入力部２１、表示部２２、制御部２３、通信部２４を備える。
入力部２１は、例えば、キーボード、マウス等であり、管理者端末２を使用する配信管理者によって必要な情報が入力される。
表示部２２は、例えば、液晶ディスプレイ装置であり、配信管理者が表示可能な配信サイト等を表示する。
制御部２３は、管理者端末２内の各部の動作を制御する。また、制御部２３は、広告管理サーバー３にログインし、広告管理サーバー３における広告等の管理を行う。
通信部２４は、管理者端末２がネットワークＮに接続するための通信インターフェイスである。
【００３５】
広告管理サーバー３は、通信部３１，制御部３２を備える。
通信部３１は、広告管理サーバー３がネットワークＮに接続するための通信インターフェイスである。
制御部３２は、広告管理サーバー３内の各部の動作を制御する。制御部３２は、ログイン処理部３２ａ、音量計測部３２ｂ、来店者数計測部３２ｃ、広告管理部３２ｄ、ランク設定部３２ｅ、ポイント管理部３２ｆ、広告審査部３２ｇ、配信管理部３２ｈを備える。
【００３６】
ログイン処理部３２ａは、管理者端末２から入力されたログインＩＤ、パスワードの認証を行い、正規のユーザーであると認証した場合に、広告管理サーバー３へのログインを許可する。
【００３７】
音量計測部３２ｂは、撮像部１５により撮像され、広告主端末１からアップロードされた画像ファイルを解析して店内の音量を計測する。音量の計測は、上述したように店内の音をデシベル値に換算し、店内の音声のデシベル比を求めることで行われる。
【００３８】
来店者数計測部３２ｃは、撮像部１５により撮像され、広告主端末１からアップロードされた画像ファイルを解析して時間毎の来店者数を計測する。このとき、来店者数計測部３２ｃは、画像ファイルから来店者の顔認証を行うことで、来店者の性別、年齢等を判断し、来店者の性別、年齢毎に来店者数を計測してもよい。
【００３９】
広告管理部３２ｄは、広告主から出稿される音声のみの広告を管理する。
ランク設定部３２ｅは、広告が配信される店舗のランクを設定する。例えば、ランク設定部３２ｅは、音量計測部３２ｂにより計測された店内の音量と、来店者数計測部３２ｃにより計測された来店者数とに基づいて、店舗毎にランクを設定する。
【００４０】
ポイント管理部３２ｆは、店舗毎に設定されたランク毎のポイントを管理する。このため、ポイント管理部３２ｆは、店舗毎に消費可能枠を算出する。また、ポイント管理部３２ｆは、店舗が保有するポイントも管理しており、ある店舗が他の店舗との間で交換するポイントも管理する。例えば、ポイント管理部３２ｆは、店舗Ａに割当てられた広告枠を店舗Ｘに提供した場合に、店舗Ａに割当てられ、ランク毎に決定される広告枠の価値に相当するポイントを店舗Ｘから店舗Ａに移動させることもできる。
【００４１】
広告審査部３２ｇは、広告主端末１から出稿された広告の審査を自動的に行う。広告の審査は、例えば、広告の再生時間が２０秒間で規定されている場合に、広告主から入稿された音声ファイルの再生時間が２０秒間以内であるか、また、広告の内容が公序良俗に反するものでないかといった観点により、配信管理者により行われる。広告の審査は、管理者端末２を使用する管理者によって１つずつ行われるが、広告審査部３２ｇを用いることにより、定形的なエラーを含む広告は自動的に除くか、配信中止を指示することが可能となる。このため、配信管理者による審査を効率化することができる。
【００４２】
配信管理部３２ｈは、広告の配信スケジュール、配信地域等を管理しており、広告審査部３２ｇにより審査され、承認された広告を配信する。このとき、配信管理部３２ｈは、広告を配信するために必要とされるポイントを店舗Ａ及び店舗Ｘの間で交換することで、指定されたスケジュールで店舗Ａの広告を店舗Ｘに配信し、店舗Ｘの広告を店舗Ａで配信するように管理する。このため、配信管理部３２ｈは、配信スケジュール、配信地域等に従って、特定の店舗の広告主端末１に広告をストリーミング配信することが可能である。配信管理部３２ｈにより広告主端末１に配信される広告は、広告主端末１に保存されない。なお、広告は、広告主端末１を介さず、店内の放音部１７等に直接配信されてもよい。
【００４３】
ここで、配信管理部３２ｈは、店舗Ａに割当てられた広告枠の価値と、店舗Ｘに割当てられた広告枠の価値とが同じである場合に、店舗Ａにより出稿された広告と、店舗Ｘにより出稿された広告とを交換することができる。また、配信管理部３２ｈは、店舗Ａに割当てられた広告枠の価値と、店舗Ｘに割当てられた広告枠の価値とが異なる場合に、価値を同じとするポイントを店舗Ａ又は店舗Ｘが保有したことにより、店舗Ａにより出稿された広告と、店舗Ｘにより出稿された広告とを交換することもできる。これにより、店舗毎に配信する広告を交換することが可能となる。
【００４４】
管理データベース４は、企業情報テーブル４１、広告主店舗情報テーブル４２、聞きやすさランクテーブル４３、店舗ランクテーブル４４、広告単価テーブル４５、広告枠数テーブル４６、業種テーブル４７を備える。広告管理サーバー３により管理される各種の情報は、管理データベース４の各テーブルに保存される。各テーブルの詳細な内容は、図５にて説明する。
【００４５】
図４は、広告配信システム１０の各装置を構成する計算機Ｃのハードウェア構成図である。
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、表示装置Ｃ５、操作装置Ｃ６、不揮発性ストレージＣ７、ネットワークインターフェイスＣ８を備える。
【００４６】
ＣＰＵ Ｃ１は、本実施の形態例に係る各機能を実現するソフトウェアのプログラムコードをＲＯＭ Ｃ２から読み出して実行する。ＲＡＭ Ｃ３には、演算処理の途中に発生した変数やパラメーター等が一時的に書き込まれる。ＣＰＵ Ｃ１には、例えば、図３に示される、制御部１４，２３，３２が対応する。
【００４７】
表示装置Ｃ５は、例えば、液晶ディスプレイモニタであり、計算機Ｃで行われる処理の結果等をユーザーに表示する。表示装置Ｃ５には、例えば、図３の表示部１２，２２が対応する。操作装置Ｃ６には、例えば、キーボード、マウス等が用いられ、ユーザーが所定の操作入力、指示を行うことが可能である。操作装置Ｃ６には、例えば、図３の入力部１１，２１が対応する。
【００４８】
不揮発性ストレージＣ７としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ７には、ＯＳ（Operating System）、各種のパラメーターの他に、計算機Ｃを機能させるためのプログラムが記録されている。ＲＯＭ Ｃ２、不揮発性ストレージＣ７は、ＣＰＵ Ｃ１が動作するために必要なプログラムやデータ等を記録しており、計算機Ｃによって実行されるプログラムを格納したコンピュータ読取可能な非一過性の記録媒体の一例として用いられる。このため、ＲＯＭ Ｃ２、不揮発性ストレージＣ７には、このプログラムが永続的に格納される。
【００４９】
ネットワークインターフェイスＣ８には、例えば、ＮＩＣ（Network Interface Card）等が用いられ、端子が接続されたＬＡＮ（Local Area Network）、専用線等を介して各種のデータを装置間で送受信することが可能である。ネットワークインターフェイスＣ８には、例えば、図３の通信部１３，２４，３１が対応する。
【００５０】
図５は、管理データベース４に格納される各テーブルの構成例を示す説明図である。
企業情報テーブル４１は、広告主企業ＩＤ、広告主店舗名、企業名、企業住所、企業電話番号、企業部署名、企業担当者名、メールアドレス、企業担当者、支払い情報（クレジットカード情報等）のフィールドを有する。
【００５１】
広告主店舗情報テーブル４２は、店舗ＩＤ、店舗名、広告主企業ＩＤ、業種、営業時間、月間来店者数、月間営業延べ時間、１人あたりの滞在時間、聞きやすさランク、価値基準、店舗ランク、広告単価（１回あたり）、保有ポイント、広告枠数、店舗住所のフィールドを有する。
【００５２】
聞きやすさランクテーブル４３は、最低、最高、ランク、デシベル比率のフィールドを有する。
店舗ランクテーブル４４は、価値基準、店舗ランクのフィールドを有する。
【００５３】
広告単価テーブル４５は、店舗ランク、単価ポイントのフィールドを有する。１つの広告は、例えば、２０秒間の再生時間の広告である。そして、店舗ランクに応じて、店内で流される広告の１つの広告枠の単価が確定する。
広告枠数テーブル４６は、月間営業延べ時間、広告枠のフィールドを有する。
【００５４】
業種テーブル４７は、農業，林業、漁業、鉱業，採石業，砂利採取業、建設業、製造業、電気・ガス・熱供給・水道業、情報通信業、運輸業，郵便業、卸売業，小売業、金融業，保険業、不動産業，物品賃貸業、学術研究，専門・技術サービス業、宿泊業，飲食サービス業、生活関連サービス業，娯楽業、教育，学習支援業、医療，福祉、複合サービス事業、サービス業（他に分類されないもの）、公務（他に分類されるものを除く）、分類不能の産業のフィールドを有する。
【００５５】
次に、広告主と配信管理者が配信サイトにログインした後に行う処理について、図６と図７を参照して説明する。ただし、始めに、図６のフローチャートと、広告主に関連する画面の表示例を図８〜図１６を参照して説明する。図７のフローチャートと、配信管理者に関連する画面の表示例は、図１７〜図２１を参照して行う。
【００５６】
図６は、広告主が配信サイトにログインしたときの処理例を示すフローチャートである。以下の説明では、適宜、画面の表示例も合わせて説明する。
始めに、広告主は、広告主端末１に表示された図８に示すログイン画面Ｗ１を表示する。
【００５７】
図８は、ログイン画面Ｗ１の表示例を示す説明図である。
ログイン画面Ｗ１には、広告主又は管理者が配信サイトにログインする際に、ログインＩＤ、パスワードを入力するためのテキストボックスＷ１ａ，Ｗ１ｂが、広告主と管理者のそれぞれに対して設けられている。広告主が、「広告主のお客様はこちら」と表示されているテキストボックスＷ１ａにログインＩＤ、パスワードを入力して、ログインボタンを押すと、広告管理サーバー３のログイン処理部３２ａにて認証が行われ、ログインが完了する。
【００５８】
そして、広告主がログイン画面Ｗ１を通じてログインすると（Ｓ１）、広告主端末１には、図９に示す広告主画面Ｗ２が表示される。
【００５９】
図９は、広告主画面Ｗ２の表示例を示す説明図である。
広告主画面Ｗ２には、広告主が勤務する株式会社ＡＡＡの現在の店舗ランク一覧Ｗ２ａ、現在のポイントＷ２ｂ、直近の獲得ポイントＷ２ｃ、お知らせＷ２ｄ、管理機能ボタンＷ２ｅが表示される。
店舗ランク一覧Ｗ２ａは、例えば、管理データベース４の店舗ランクテーブル４４を参照して表示される情報である。店舗ランクとして、例えば、Ａ，Ｂ，Ｃランクがある。Ａランクが最もランクが高く、Ｂランクが標準のランクであり、広告主画面Ｗ２では「レギュラー」と表示されている。Ｃランクが最もランクが低い。
【００６０】
現在のポイントＷ２ｂは、広告主がこれまでに配信サイトを通じて配信管理者から購入したポイント数である。広告の配信には、このポイントが用いられる。
直近の獲得ポイントＷ２ｃには、各店舗にて獲得したポイント数が表示される。例えば、他の店舗により、広告の配信が依頼され、他の店舗に広告枠を提供した場合には、他の店舗から自店舗に対して提供した広告枠に相当するポイント数が獲得ポイントとして表示される。
【００６１】
お知らせＷ２ｄには、広告主に通知される情報が表示される。例えば、広告主が以前入稿した広告の審査結果や、他社からの広告の掲載依頼等が表示される。
管理機能ボタンＷ２ｅには、広告主が企業情報を管理するための画面を表示したり、広告を出稿したりするための指示を与えるために用いられる。広告主が「広告を出す」ボタンＷ２ｅ１をクリックすると、図１０に示す広告配信画面Ｗ３が表示される。
【００６２】
図１０と図１１は、広告配信画面Ｗ３（広告主選択）の表示例を示す説明図である。
広告配信画面Ｗ３は、広告主が広告の配信先を業種・地域から選択する場合に用いられる。広告配信画面Ｗ３には、広告主が保有する現在のポイント数が保有ポイントＷ３ａに表示される。また、配信方法選択ボタンＷ３ｂには、初めのうち「業種・地域から選ぶ」のラジオボタンが選択された状態で表示される。広告主が「広告主から選択する」のラジオボタンを選択すると、後述する図１３に示す広告配信画面Ｗ５に遷移する。
【００６３】
広告配信画面Ｗ３には、広告の配信先である業種選択Ｗ３ｃ、地域選択Ｗ３ｄ、掲載期間Ｗ３ｅ（以上、図１０）、配信希望時間帯Ｗ３ｆ、配信希望回数Ｗ３ｇ、配信希望広告Ｗ３ｈ、広告増枠ボタンＷ３ｉ、現在のポイントＷ３ｊ、配信に必要なポイントＷ３ｋ、配信指示ボタンＷ３ｍ（以上、図１１）が表示される。
【００６４】
広告主は、配信方法選択ボタンＷ３ｂの「業種・地域から選ぶ」のラジオボタンを選択すると、以下の項目を選択することが可能となる。例えば、広告主は、業種選択Ｗ３ｃ、地域選択Ｗ３ｄ、掲載期間Ｗ３ｅ、配信希望時間帯Ｗ３ｆ、配信希望回数Ｗ３ｇ、配信希望広告Ｗ３ｈにて、広告の配信を希望する業種、地域、掲載期間、配信希望時間帯、配信希望回数、配信希望広告を選択することができる。
【００６５】
また、新たに広告を入稿する際には、広告入稿リンクＷ３ｈ１をクリックする。これにより、後述する広告入稿画面Ｗ４が表示され、広告主は広告を入稿することができる。なお、配信希望広告Ｗ３ｈが複数あるのは、複数の異なる広告がある場合に、任意の広告を選択可能とするためである。広告主が、さらに配信を希望する広告を増やす場合には、広告増枠ボタンＷ３ｉを押して広告枠を増やすことができる。また、広告配信画面Ｗ３の下部にも現在のポイントＷ３ｊが表示され、ポイントが不足する場合には、ポイントを追加購入することもできる。そして、配信に必要なポイントＷ３ｋで示されるポイント数が、広告主が保有しているポイント数以下であるため、配信指示ボタンＷ３ｍが表示され、広告主は、配信指示ボタンＷ３ｍをクリックして広告の配信を指示することができる。
【００６６】
再び、図６のステップＳ３に戻って説明を続ける。
広告主が広告配信画面Ｗ３にて配信方法を「業種・地域から選ぶ」を選択し（Ｓ２）、配信先の業種、地域、掲載期間等を選択又は記述した後（Ｓ３）、広告主は、新規広告を入稿するか否かを判断する（Ｓ４）。新規広告を入稿しない場合（Ｓ４のＮＯ）、広告配信画面Ｗ３にて選択した業種、地域、掲載期間等で広告が配信され（Ｓ１５）、本処理が終了する。一方、新規広告を入稿する場合（Ｓ４のＹＥＳ）、図１２に示す広告入稿画面Ｗ４が表示される。
【００６７】
図１２は、広告入稿画面Ｗ４の表示例を示す説明図である。
広告入稿画面Ｗ４は、広告主が新規の広告を入稿する場合に用いられる。広告入稿画面Ｗ４には、現在広告一覧Ｗ４ａ、審査待ち広告Ｗ４ｂ、新規広告入稿欄Ｗ４ｃが表示される。
現在広告一覧Ｗ４ａには、現在、広告主が配信可能な広告の一覧が表示される。この広告は、配信管理者によって既に審査が完了したものでもよいし、審査が未完了のものを含めてもよい。
審査待ち広告Ｗ４ｂには、現在、配信管理者によって審査が行われている広告が表示される。
新規広告入稿欄Ｗ４ｃには、音声ファイルの格納場所から配信を希望する広告が入った音声ファイルを選択するためのファイル参照エリアと、入稿指示ボタンＷ４ｃ１が表示される。広告主は、ファイル参照エリアにて音声ファイルを選択した後、入稿指示ボタンＷ４ｃ１を押すことで広告を入稿することができる。このとき、音声ファイルが広告管理サーバー３にアップロードされる。
【００６８】
図６の説明に戻ると、広告主が広告入稿画面Ｗ４の入稿指示ボタンＷ４ｃ１を押したことにより（Ｓ５）、広告管理サーバー３に音声ファイルがアップロードされる（Ｓ６）。そして、音声ファイルが広告管理サーバー３に入稿される（Ｓ７）。入稿された音声ファイル（広告）は、配信管理者により審査され、審査が完了した広告が配信可能となる。このため、ステップＳ７の後、ステップＳ３に戻る。
【００６９】
次に、ステップＳ２にて、広告主を選択した場合について説明する。図１０に示した広告配信画面Ｗ３にて、広告主が配信方法選択ボタンＷ３ｂの「広告主から選択する」のラジオボタンを選択すると、図１３と図１４に示す広告配信画面Ｗ５が表示される。
【００７０】
図１３と図１４は、広告配信画面Ｗ５（広告主選択）の表示例を示す説明図である。
広告配信画面Ｗ５は、広告主が広告の配信先を広告主から選択する場合に用いられる。広告配信画面Ｗ５には、広告主が保有する現在のポイント数が保有ポイントＷ５ａに表示される。また、配信方法選択ボタンＷ５ｂには、初めのうち「広告主から選択する」のラジオボタンが選択された状態で表示される。そして、広告配信画面Ｗ５には、配信先検索結果Ｗ５ｃが設けられる。
【００７１】
配信先検索結果Ｗ５ｃには、広告主によって以前選択された配信先が表示される。広告主が配信先を再選択する際には、「配信先を選択し直す」ボタンＷ５ｃ１を選択する。これにより、後述する図１５に示す配信先検索画面Ｗ６が表示され、広告の配信先を検索することが可能となる。なお、広告配信画面Ｗ５が備えるエリアＷ５ｄ〜Ｗ５ｍは、図１０と図１１に示した広告配信画面Ｗ３が備えるエリアＷ３ｄ〜Ｗ３ｍと同じ内容であるため、詳細な説明を省略する。
【００７２】
図６の説明に戻ると、ステップＳ２にて広告主により広告主が選択されたことにより表示された広告配信画面Ｗ５にて、配信先を変更する場合には、図１５に示す配信先検索画面Ｗ６が表示される。そして、広告主は、配信先検索画面Ｗ６にて、業種を指定し、又はキーワードを入力することで（Ｓ８）、業種又はキーワードに合致する配信先の広告主を検索することができる。
【００７３】
図１５は、配信先検索画面Ｗ６の表示例を示す説明図である。
配信先検索画面Ｗ６は、広告主が広告の配信先を検索する場合に用いられる。配信先検索画面Ｗ６には、保有ポイントＷ６ａ、配信方法選択ボタンＷ６ｂ、配信先指定エリアＷ６ｃ、検索ボタンＷ６ｄが表示される。
保有ポイントＷ６ａには、広告主が保有する現在のポイント数が表示される。
配信方法選択ボタンＷ６ｂには、「広告主から選択する」のラジオボタンが選択された状態で表示される。
【００７４】
配信先指定エリアＷ６ｃには、業種を指定、又はキーワードを入力することにより、配信先を指定することが可能である。
検索ボタンＷ６ｄは、配信先指定エリアＷ６ｃに指定された業種、又はキーワードに合致する配信先の検索を指示するために用いられる。検索結果は、図１６に示す検索結果画面Ｗ７に表示される。
【００７５】
図１６は、検索結果画面Ｗ７の表示例を示す説明図である。
検索結果画面Ｗ７は、配信を依頼する出稿先を一覧表示するために用いられる。出稿先選択エリアＷ７ａ、検索結果一覧Ｗ７ｂを備える。
出稿先選択エリアＷ７ａは、検索結果としての総数と、１画面に表示可能な件数、並び替えリストを含む。広告主は、出稿先選択エリアＷ７ａに表示される情報に基づいて、任意の件数及び任意の順で画面に検索結果を表示する指示を行うことができる。例えば、店舗名の昇順又は降順、期間限定のキャンペーンが行われている店舗順に表示することもできる。
検索結果一覧Ｗ７ｂには、配信先検索画面Ｗ６にて指定された業種又はキーワードに合致する店舗名、業種名等が一覧表示される。
【００７６】
図６の説明に戻ると、広告主は、ステップＳ８にて検索結果画面Ｗ７に表示された広告主から任意の広告主を選択する（Ｓ９）。広告主を再選択する場合には、改めて配信先検索画面Ｗ６に戻り、業種又はキーワードが指定される。そして、広告主により広告主が選択された後、広告配信画面Ｗ５に戻って、広告主が広告配信画面Ｗ５にて配信先の業種、地域、掲載期間等を選択又は記述する（Ｓ１０）。
【００７７】
その後、広告主は、新規広告を入稿するか否かを判断する（Ｓ１１）。新規広告を入稿しない場合（Ｓ１１のＮＯ）、広告配信画面Ｗ３にて選択した業種、地域、掲載期間等で広告が配信され（Ｓ１５）、本処理が終了する。一方、新規広告を入稿する場合（Ｓ１１のＹＥＳ）、図１２に示す広告入稿画面Ｗ４が表示される。
【００７８】
そして、広告主が広告入稿画面Ｗ４の入稿指示ボタンＷ４ｃ１を押したことにより（Ｓ１２）、音声ファイルがアップロードされる（Ｓ１３）。そして、音声ファイルが広告管理サーバー３に入稿される（Ｓ１４）。入稿された音声ファイル（広告）は、配信管理者により審査され、審査が完了した広告が配信可能となる。このため、ステップＳ１４の後、ステップＳ１０に戻る。
【００７９】
図７は、配信管理者が配信サイトにログインしたときの処理例を示すフローチャートである。以下の説明では、図８及び図１７〜図２１を参照して、適宜、画面の表示例も合わせて説明する。
始めに、配信管理者は、管理者端末２に表示された図８に示すログイン画面Ｗ１を表示する。そして、配信管理者がログイン画面Ｗ１を通じてログインすると（Ｓ２１）、管理者端末２には、図１７に示す管理者画面Ｗ８が表示される。
【００８０】
図１７は、管理者画面Ｗ８の表示例を示す説明図である。
管理者画面Ｗ８は、管理者が企業情報を管理し、広告の審査及び承認をし、広告主を登録するために用いられる。管理者画面Ｗ８には、お知らせＷ８ａ、管理機能Ｗ８ｂが表示される。
お知らせＷ８ａには、配信管理者に通知される情報が表示される。例えば、広告審査の件数が表示される。
管理機能Ｗ８ｂには、配信管理者として広告主を管理するための機能ボタンが表示される。管理機能Ｗ８ｂに表示される機能ボタンとして、企業情報管理画面ボタンＷ８ｂ１、広告審査・承認ボタンＷ８ｂ２、管理者登録ボタンＷ８ｂ３がある。
【００８１】
配信管理者が企業情報管理画面ボタンＷ８ｂ１を押すと、図１８に示す企業情報管理画面Ｗ９が表示される。
図１８は、企業情報管理画面Ｗ９の表示例を示す説明図である。
企業情報管理画面Ｗ９には、広告主企業ＩＤＷ９ａ、広告主店舗Ｗ９ｂが表示される。広告主企業ＩＤＷ９ａには、広告主企業の広告主企業ＩＤが表示され、広告主店舗Ｗ９ｂには、広告主企業に所属する店舗の一覧が表示される。広告主店舗Ｗ９ｂには、店舗編集ボタンＷ９ｂ１が表示され、配信管理者は、店舗編集ボタンＷ９ｂ１をクリックすることで表示される図１９に示す店舗編集画面Ｗ１０を通じて店舗情報を編集することが可能である。
【００８２】
また、企業情報管理画面Ｗ９には、企業名Ｗ９ｃ、企業住所Ｗ９ｄ、企業電話番号Ｗ９ｅ、企業部署名Ｗ９ｆ、企業担当者名Ｗ９ｇ、企業担当者メールアドレスＷ９ｈ、支払情報Ｗ９ｉが表示される。各項目には、それぞれ管理データベース４の企業情報テーブル４１から読出された、企業名、企業住所、企業電話番号、企業部署名、企業担当者名、メールアドレス、企業担当者、支払い情報（クレジットカード情報等）が表示される。
【００８３】
図７にて、配信管理者が企業情報を編集する場合（Ｓ２２）、配信管理者が店舗編集ボタンＷ９ｂ１をクリックして、図１９に示す店舗編集画面Ｗ１０と図２０に示す店舗情報登録画面Ｗ１１を表示する。
【００８４】
図１９は、店舗編集画面Ｗ１０の表示例を示す説明図である。
店舗編集画面Ｗ１０は、企業情報管理画面Ｗ９の店舗編集ボタンＷ９ｂ１が押されることにより表示される画面であり、配信管理者が店舗情報を編集することが可能である。店舗編集画面Ｗ１０には、店舗一覧Ｗ１０ａ、新規店舗追加ボタンＷ１０ｂが表示される。
店舗一覧Ｗ１０ａには、広告主の企業が保有する店舗の店舗名が一覧表示される。配信管理者が、店舗名の隣りに表示される「編集する」リンクを選択すると、図２０に示す店舗情報登録画面Ｗ１１が表示される。
新規店舗追加ボタンＷ１０ｂは、配信管理者が新たに店舗を追加するときに押されるボタンである。配信管理者が新規店舗追加ボタンＷ１０ｂを押すと、図２０に示す店舗情報登録画面Ｗ１１が表示される。
【００８５】
図２０は、店舗情報登録画面Ｗ１１の表示例を示す説明図である。
店舗情報登録画面Ｗ１１は、配信管理者が店舗情報を編集又は登録するために用いられる。既に登録された店舗であれば、店舗編集画面Ｗ１０には店舗情報が入力された状態で表示され、新規に登録される店舗であれば、店舗編集画面Ｗ１０には店舗情報が入力されていない状態で表示される。
【００８６】
店舗情報登録画面Ｗ１１には、店舗ＩＤＷ１１ａ、店舗名Ｗ１１ｂ、企業名Ｗ１１ｃ、企業住所Ｗ１１ｄ、業種Ｗ１１ｅ、営業時間Ｗ１１ｆ、月間来店者数Ｗ１１ｇ、月間営業延べ時間Ｗ１１ｈ、１人あたりの滞在時間Ｗ１１ｉ、聞きやすさランクＷ１１ｊ、価値基準Ｗ１１ｋ、店舗ランクＷ１１ｍ、広告単価（１回あたり）Ｗ１１ｎ、保有ポイントＷ１１ｏ、広告枠数Ｗ１１ｐが表示される。これらの各項目には、それぞれ管理データベース４の企業情報テーブル４１、広告主店舗情報テーブル４２から読出された情報が表示される。
【００８７】
また、店舗情報登録画面Ｗ１１には、広告させたくない業種Ｗ１１ｑが表示される。例えば、広告主と同業種である他の広告主の店舗には広告を望まないと考えられる。また、広告主と異業種であっても、広告主にとって利益が見込めない客層の業種にも広告を望まないと考えられる。このため、広告させたくない業種Ｗ１１ｑにて、広告させたくない業種を選択することが可能である。また、広告させたくない業種Ｗ１１ｑにない業種については、追加ボタンＷ１１ｑ１を押すことにより追加することが可能である。このとき、広告させたくない会社や店舗名をキーワードとして入力し、検索ボタンＷ１１ｒを押して検索可能である。店舗情報登録画面Ｗ１１に全ての情報が入力された後、登録ボタンＷ１１ｓを押すことにより店舗情報が登録される。
【００８８】
そして、配信管理者が、店舗編集画面Ｗ１０と店舗情報登録画面Ｗ１１により、店舗情報を編集又は追加した後（Ｓ２４）、ステップＳ２２に戻る。そして、編集又は追加した店舗情報が登録されると（Ｓ２３）、本処理が終了する。
【００８９】
ステップＳ２１にて配信管理者が配信サイトにログインした後に表示される、図１７に示す管理者画面Ｗ８にて、配信管理者が広告審査・承認ボタンＷ８ｂ２を押すと、図２１に示す広告審査・承認画面Ｗ１２が表示される（Ｓ２５）。
【００９０】
図２１は、広告審査・承認画面Ｗ１２の表示例を示す説明図である。
広告審査・承認画面Ｗ１２は、配信管理者が、広告主により入稿された広告を審査し、承認するために用いられる。広告審査・承認画面Ｗ１２には、審査待ち広告一覧Ｗ１２ａ、作業完了ボタンＷ１２ｂが表示される。
【００９１】
審査待ち広告一覧Ｗ１２ａには、現在、配信管理者による審査待ち、又は承認依頼が行われている広告が、企業毎、店舗毎に表示される。配信管理者は、各欄にて、「再生する」リンクＷ１２ａ１をクリックすると、広告を再生して聴くことができる。そして、配信管理者は、承認ボタンＷ１２ａ２を押すと、この承認ボタンＷ１２ａ２に対応する広告を承認することができる。
作業完了ボタンＷ１２ｂは、広告の審査・承認の作業を完了するときに押されるボタンである。配信管理者により作業完了ボタンＷ１２ｂが押されると、図１７に示す管理者画面Ｗ８に戻って表示される。
【００９２】
そして、配信管理者が、承認ボタンＷ１２ａ２を押すことにより、広告が承認される（Ｓ２６）。その後、ステップＳ１０に戻って処理を続ける。
【００９３】
以上説明した一実施の形態に係る広告配信システム１０では、広告配信システム１０を利用する広告主間で広告枠を交換するための新たなメディアネットワークを形成することができる。そして、従来算出することが困難であった、広告を配信する店舗毎の価値と、その店舗における広告枠の価値とを算出することができる。また、これらの価値に基づくポイントを、広告配信システム１０を利用する広告主が購入することで自社の広告だけでなく、他社との間で広告枠を交換して他社の広告を配信することも可能となる。このように、従来は、広告の出稿先として認知されていなかった店内の広告に対して、簡易な広告配信システム１０を利用することで新たに他業種、他社からの広告を配信することが可能となる。
【００９４】
広告管理サーバー３は、店舗毎の価値と、広告枠の価値とを算出するにあたり、各店舗の来店者数、店内放送のデシベル比を用いる。各店舗の来店者数、店内放送のデシベル比は、共に店舗毎に収録した画像ファイルから計測することが可能である。このため、各店舗の来店者数、店内放送のデシベル比を、店舗毎の自己申告により確定しなくてよく、配信管理者により適正に店舗毎の価値と、広告枠の価値とを算出することが可能となる。
【００９５】
また、広告主は、配信サイトを通じて、任意のタイミングでポイントを購入することができる。配信サイトは、ＰＣだけでなく、スマートフォン等の携帯端末でも表示可能である。また、広告主は、音声ファイルを広告管理サーバー３に音声ファイルを簡単にアップロードすることができる。また、広告主は、配信サイトを通じて、広告の配信を希望する業種、期間、予算等を検討しやすい。
【００９６】
［変形例］
なお、携帯端末等を広告主端末１として用い、この携帯端末等に全方位を撮像可能な３６０°カメラを取付け、このカメラが撮像した店内の画像を画像ファイルとして、広告管理サーバー３がリアルタイムに収集してもよい。これにより、店舗には高価な業務用カメラを設置する必要がなくなり、広告配信システム１０に加入した広告主が負担する初期費用を抑えることが可能となる。
【００９７】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９８】
１…広告主端末、２…管理者端末、３…広告管理サーバー、４…管理データベース、１０…広告配信システム、１１…入力部、１２…表示部、１４…制御部、１４ａ…入力受付部、１４ｂ…表示制御部、１４ｃ…広告再生部、１５…撮像部、１６…集音部、１７…放音部、２１…入力部、２２…表示部、２３…制御部、３２…制御部、３２ａ…ログイン処理部、３２ｂ…音量計測部、３２ｃ…来店者数計測部、３２ｄ…広告管理部、３２ｅ…ランク設定部、３２ｆ…ポイント管理部、３２ｇ…広告審査部、３２ｈ…配信管理部
【図１】
2018156514.tif 000003
【図２】
2018156514.tif 000004
【図３】
2018156514.tif 000005
【図４】
2018156514.tif 000006
【図５】
2018156514.tif 000007
【図６】
2018156514.tif 000008
【図７】
2018156514.tif 000009
【図８】
2018156514.tif 000010
【図９】
2018156514.tif 000011
【図１０】
2018156514.tif 000012
【図１１】
2018156514.tif 000013
【図１２】
2018156514.tif 000014
【図１３】
2018156514.tif 000015
【図１４】
2018156514.tif 000016
【図１５】
2018156514.tif 000017
【図１６】
2018156514.tif 000018
【図１７】
2018156514.tif 000019
【図１８】
2018156514.tif 000020
【図１９】
2018156514.tif 000021
【図２０】
2018156514.tif 000022
【図２１】
2018156514.tif 000023